(57)【要約】【課題】間仕切り自体を移動可能、回動可能とすることによって、例えば、使用者の視やすい位置に薄型テレビの画面を容易に移動できるとともに、間仕切りとしても機能する可動間仕切りパネルを提供する。【解決手段】上ガイドレール９１にガイドされるとともに、該ガイドレール９１に沿って左右にスライド自在とされた間仕切りパネルであって、該間仕切りパネルは、左右一方の縦枠１１、１２を回転軸とし、他の縦枠１２、１１を回動遊端として回動自在とされ、上記間仕切りパネルの略中央部には平板な収納部３１が設けられてなる可動間仕切りパネルＡ。好ましくは、上記収納部３１に薄型テレビＴＶが収納される。【選択図】図２
2008274682.tif 000002
【特許請求の範囲】
【請求項１】
上ガイドレールにガイドされるとともに、該ガイドレールに沿って左右にスライド自在とされた間仕切りパネルであって、該間仕切りパネルは、左右一方の縦枠を回転軸とし、他の縦枠を回動遊端として回動自在とされ、上記間仕切りパネルの略中央部には平板な収納部が設けられてなる可動間仕切りパネル。
【請求項２】
上記上ガイドレールが下に開口し、その上面に一定間隔で複数の係止孔が設けられたＣチャンネルであり、該Ｃチャンネルには両端部にガイドローラを突設したスライドバーがスライド自在に吊着され、左縦枠と右縦枠の内部から出没自在に突出するランナーが上記スライドバーおよびガイドローラを貫通して上記係止孔に係脱自在に嵌挿される請求項１に記載の可動間仕切りパネル。
【請求項３】
上記上ガイドレールと対をなす下ガイドレールが床面に設けられた請求項１に記載の可動間仕切りパネル。
【請求項４】
上記間仕切りパネルの下部にはキャスタが下設された請求項１に記載の可動間仕切りパネル。
【請求項５】
上記平板な収納部には薄型テレビが収納される請求項１に記載の可動間仕切りパネル。
【発明の詳細な説明】
【技術分野】
【０００１】
本発明は、間仕切りパネルに関する。さらに詳しくは、左右にスライド自在に移動するとともに、一方の縦枠を軸とし、他方の縦枠を遊端として回動する可動間仕切りパネルに関する。
【背景技術】
【０００２】
近年、住居様式の多様化、家族構成の変化等に対応するため、種々のタイプの間仕切りが提案されている。例えば、下記特許文献１には、開口部を有する上吊り式の可動間仕切り壁において、この開口部に手前側と奥側に回転しながら突出して開状態となるスイング扉を設け、スイング扉を開けた際、スイング扉が手前側と奥側で略均等の荷重配分となるようにしたことを特徴とする可動間仕切り壁が提案されている。
【０００３】
そして、スイング扉が設けられている壁本体がスイング扉の自重によりバランスを崩し、傾いてしまうことを防いで壁本体の手前側と奥側で略均等に荷重配分をしているため、スイング扉もバランスを保つことができ、床面に当たることなく、円滑に開閉操作ができ、円滑に開口部から出入りできる効果があると述べられている。
【特許文献１】特開２００１−３０３８４１号公報（第１〜４頁、第１図）
【発明の開示】
【発明が解決しようとする課題】
【０００４】
ところで、近年、薄型テレビが普及しつつあり、この薄型テレビはスタンドに組み付けて、あるいは壁に掛けて視聴できるが、上記間仕切り壁に掛けて視聴する使用者も多い。このとき、間仕切り壁や袖壁等、固定されたパネルに上記薄型テレビを架けるため、自分の視やすい位置にテレビを移動して番組を楽しむことは困難である。
【０００５】
本発明は、上記した状況のもとで考え出されたものであり、パネル自体を移動可能とし、あるいは回動できるようにして、使用者の視やすい位置に画面を容易に移動することができるとともに、間仕切りとしても使用できる可動間仕切りパネルを提供することを、その課題とする。
【課題を解決するための手段】
【０００６】
上記課題を解決するために、本発明においては、つぎのような技術的手段を講じている。すなわち、請求項１に記載の発明によれば、上ガイドレールにガイドされるとともに、該ガイドレールに沿って左右にスライド自在とされた間仕切りパネルであって、該間仕切りパネルは、左右一方の縦枠を回転軸とし、他の縦枠を回動遊端として回動自在とされ、上記間仕切りパネルの略中央部には平板な収納部が設けられてなる可動間仕切りパネルが提供される。
【０００７】
請求項２に記載の可動間仕切りパネルは、請求項１に記載の発明に加えて、上記上ガイドレールが下に開口し、その上面に一定間隔で複数の係止孔が設けられたＣチャンネルであり、該Ｃチャンネルには両端部にガイドローラを突設したスライドバーがスライド自在に吊着され、左縦枠と右縦枠の内部から出没自在に突出するランナーが上記スライドバーおよびガイドローラを貫通して上記係止孔に係脱自在に嵌挿される。
【０００８】
請求項３に記載の可動間仕切りパネルは、請求項１に記載の発明に加えて、上記上ガイドレールと対をなす下ガイドレールが床面に設けられる。
【０００９】
請求項４に記載の可動間仕切りパネルは、請求項１に記載の発明に加えて、上記間仕切りパネルの下部にはキャスタが下設される。
【００１０】
請求項５に記載の可動間仕切りパネルは、請求項１に記載の発明に加えて、上記平板な収納部には薄型テレビが収納される。
【発明の効果】
【００１１】
請求項１に記載の発明にかかる可動間仕切りパネルは上記のとおりであり、上ガイドレールに沿って左右にスライド自在、かつ、左右一方の縦枠を回転軸とし、他の縦枠を回動遊端として回動自在とされ、上記間仕切りパネルの略中央部には平板な収納部が設けられてなるため、例えば、平板な収納部に薄型テレビを収納することにより、可動間仕切りパネルを左右にスライドさせ、あるいは左右一方の縦枠を回転軸とし回転させ、テレビの画面を使用者の視やすい位置に容易に移動することができる。また、パネル自体は本来の間仕切り機能を有しているため、省スペース化ともなり、快適な住生活を楽しむこともできる。
【００１２】
請求項２に記載の可動間仕切りパネルは上記のとおりであり、請求項１の可動間仕切りパネルの有する効果に加え、上記上ガイドレールを下に開口するＣチャンネルから構成し、その上面に複数の係止孔を設けるとともに、上記Ｃチャンネル内にはスライドバーがスライド自在に吊着され、左縦枠と右縦枠の内部から出没自在に突出するランナーが上記スライドバーおよびその両端部に突設されたガイドローラを貫通して上記係止孔に係脱自在に嵌挿されるため、左右いずれかの縦枠から突出するランナーと上記係止孔との係合を解除することにより、外された縦枠が遊端となって回動自在にすることができる。
【００１３】
また、ランナーと係止孔との係合を解除するが、スライドバーを挿通する挿通孔とランナーとを係合させた状態、すなわち、可動間仕切りパネルとスライドバーとが共働する状態においては、可動間仕切りパネルはスライドバーと共に上ガイドレールに沿ってスライド自在に移動することができる。
【００１４】
請求項３に記載の可動間仕切りパネルは上記のとおりであり、請求項１の可動間仕切りパネルの有する効果に加え、上記上ガイドレールと対をなす下ガイドレールを床面に設けることにより、上記可動間仕切りパネルを上ガイドレールと下ガイドレールとの間にスライド自在、回動自在にしっかりと保持できる。
【００１５】
請求項４に記載の可動間仕切りパネルは上記のとおりであり、請求項１の可動間仕切りパネルの有する効果に加え、上記可動間仕切りパネルの下部にキャスタを下設することにより、パネルを操作性よく横方向にスライドさせ、かつ、回動させることができる。
【００１６】
請求項５に記載の可動間仕切りパネルは上記のとおりであり、請求項１の可動間仕切りパネルの有する効果に加え、上記平板な収納部に薄型テレビを収納することにより、テレビの画面を使用者の視やすい位置に容易に移動できるとともに、省スペース化により快適な住生活を楽しむことができる。
【発明を実施するための最良の形態】
【００１７】
以下、本発明の実施形態について図面を参照して詳細に説明する。図１は、本発明にかかる可動間仕切りパネルＡを示す外観斜視図である。図１に示すように、上記可動間仕切りパネルＡは、通常、図外天井にＣチャンネルを下に開口して敷設した上ガイドレール９１にガイドされるとともに、この上ガイドレール９１と対をなして床面に敷設される下ガイドレール９２との間にスライド自在に保持される。上記Ｃチャンネルの上面には後記するランナー４を係止するための係止孔９１１が一定間隔で設けられている。
【００１８】
上記可動間仕切りパネルＡは、左縦枠１１と右縦枠１２、上横枠２１と下横枠２２およびパネル体３とから構成され、パネル体３の略中央部には平板な収納部３１が設けられている。
【００１９】
図２は、上記可動間仕切りパネルＡを左縦枠１１を回転軸とし、右縦枠１２を回動遊端として回動する状態を示す外観斜視図である。図１、図２に示すように、右縦枠１２の略中央部には、後記するランナー４を出没自在に操作する外部レバー８が設けられている。この外部レバー８は、左縦枠１１の略中央部にも設けられている。
【００２０】
以下、上記可動間仕切りパネルＡを上ガイドレール９１と下ガイドレール９２との間にスライド自在、かつ、一方の縦枠を回転軸とし、他の縦枠を回動遊端として回動自在に保持する動作について説明する。
【００２１】
図３は、上ガイドレール９１によって、可動間仕切りパネルＡをガイドする構成を示す分解説明図である。上記したように、上ガイドレール９１は下に開口するＣチャンネルからなり、Ｃチャンネルには両端部にガイドローラ６が突設されたスライドバー７が、ガイドローラ６がＣチャンネルの溝部に係合することにより、スライド自在に吊着される。
【００２２】
上記ガイドローラ６にはスライドバー７に設けられたスライドバー挿通孔７１に連通し、ガイドローラ６を貫通する貫通孔６１が設けられ、左縦枠１１、右縦枠１２の内部から出没自在に突出するランナー４は上記スライドバー挿通孔７１、貫通孔６１を通じて上記係止孔９１１に係脱自在に嵌挿する。
【００２３】
図４、図５、図６は、上記上ガイドレール９１に設けられた係止孔９１１に、上記ランナー４を係脱する動作を説明する部分断面説明図である。なお、図４、図５、図６において、上ガイドレール９１に設けられた係止孔９１１にランナー４を係脱自在に嵌挿する動作を説明するが、下ガイドレール９２に設けられた係止孔についても同様に動作するので、下ガイドレール９２に設けられた係止孔に、ランナーが係脱する動作についての説明は割愛する。
【００２４】
図２に示すように、右縦枠１２を回動遊端とし、左縦枠１１を回転軸として可動間仕切りパネルＡを回動する場合、まず、図４に示すように、ランナー４を右縦枠１２から突出させず、スライドバー挿通孔７１、貫通孔６１、係止孔９１１に挿通、係止しない状態とし、図５に示すように、ランナー４が左縦枠１１から突出し、スライドバー挿通孔７１、貫通孔６１を挿通して係止孔９１１に係止する状態とする。
【００２５】
すなわち、図５に示すように、左縦枠１１に内設されたランナー４を上下させるランナー上げ下げ機構５の内部レバー５２を、軸芯５１を中心にしてランナー４が左縦枠１１から突出するように回動させる。すなわち、内部レバー５２の一端部に接続される上軸桿５３と、内部レバー５２の他端部に接続される下軸桿５４とを、クランク運動により回動運動から往復運動に変換し、上軸桿５３は上方に、下軸桿５４は下方に運動させる。上方に運動する上軸桿５３はランナー４を押し上げ、突出したランナー４は上記スライドバー挿通孔７１と貫通孔６１を通して係止孔９１１に嵌挿する。
【００２６】
このようにして、図２に示すように、左縦枠１１を回転軸とし、右縦枠１２を回動遊端とすることにより、可動間仕切りパネルＡを回動させることができる。
このとき、左縦枠１１と右縦枠１２に内設された内部レバー５２の上下回動動作は、外部に設けられた点線で示す外部レバー８により行われる。
【００２７】
また、可動間仕切りパネルＡを回動させずに上ガイドレール９１と下ガイドレール９２との間にスライド自在に保持するときは左縦枠１１から突出するランナー４と右縦枠１２から突出するランナー４と係止孔９１１との係合を解除して図６に示す状態とする。図６に示すように、ランナー４は、係止孔９１１との係合は解除されているが、スライドバー挿通孔７１を通してガイドローラ６に設けられた貫通孔６１とは係合した状態、すなわち、可動間仕切りパネルＡとスライドバー７とは共働する状態にあるため、可動間仕切りパネルＡは上ガイドレール９１と下ガイドレール９２との間にスライド自在に保持される。
【００２８】
そして、所望の位置までスライドさせた後、左縦枠１１から突出するランナー４と右縦枠１２から突出するランナー４とを、図５に示すように係止孔９１１に係止させれば、その位置で固定される。このようにして、可動間仕切りパネルＡ
を所望の位置にスライド自在に移動して固定することができる。
【００２９】
図７は平板な収納部３１に薄型テレビＴＶを収納した本発明にかかる可動間仕切りパネルＡを既存の袖壁Ｓに接するまでスライド移動させた状態を示す外観斜視図である。この位置で、上記したように外部レバー８を操作して可動間仕切りパネルＡを左縦枠１１あるいは右縦枠１２を回転軸として回動することができるため、使用者の視やすい位置でテレビを楽しむことができる。
【００３０】
上記は上ガイドレール９１と対をなして床面に下ガイドレール９２を敷設した実施形態について説明したが、これに限られず、下横枠２２の両端部の下部にキャスタを取り付けて可動間仕切りパネルＡを左右にスライド自在、かつ、回動自在としてもよい。このように、本発明は設計変更自在であり、特許請求の範囲を逸脱しない限り、本発明の技術的範囲に属する。
【図面の簡単な説明】
【００３１】
【図１】本発明にかかる可動間仕切りパネルを示す外観斜視図である。
【図２】上記可動間仕切りパネル左縦枠を回転軸として回動する状態を示す外観斜視図である。
【図３】上ガイドレールで可動間仕切りパネルをガイドする構成を示す分解説明図である。
【図４】ランナーを右縦枠から突出させず係止孔に係止しない状態を示す部分断面説明図である。
【図５】ランナーを左縦枠から突出させ係止孔に係止した状態を示す部分断面説明図である。
【図６】左右縦枠からのランナーと係止孔との係止を解除し可動間仕切りパネルをスライド自在とした状態を示す部分断面説明図である。
【図７】収納部に薄型テレビを収納した本発明にかかる可動間仕切りパネルを示す外観斜視図である。
【符号の説明】
【００３２】
Ａ          本発明にかかる可動間仕切りパネル
Ｓ          袖壁
ＴＶ        薄型テレビ
１１        左縦枠
１２        右縦枠
２１        上横枠
２２        下横枠
３          パネル体
３１        収納部
４          ランナー
５          ランナー上げ下げ機構
５１        軸芯
５２        内部レバー
５３        上軸桿
５４        下軸桿
６          ガイドローラ
６１        貫通孔
７          スライドバー
７１        スライドバー挿通孔
８          外部レバー
９１        上レール
９１１      係止孔
９２        下レール
【図１】
2008274682.tif 000003
【図２】
2008274682.tif 000004
【図３】
2008274682.tif 000005
【図４】
2008274682.tif 000006
【図５】
2008274682.tif 000007
【図６】
2008274682.tif 000008
【図７】
2008274682.tif 000009